(57)【要約】【課題】平地走行時においては、例えば患者をベッド部に載せて介護者が押手部を握って押すことにより前輪及び後輪によりフレーム部材を走行させることができ、このとき、履帯の接地面に接触する接地レベルは上記前輪及び後輪の接地レベルより稍浮上位置に配設されているので、履帯は接地面に非接触であり、又、階段走行時においては、階段の踏板のけ上げの存在により前輪と後輪の間の踏板の角部分に履帯が接触し、フレーム部材の上下の浮き沈みを少なくすることができ、かつ、フレーム部材の押動により履帯は循回遊動し、このため、階段走行を楽に行うことができる。【解決手段】フレーム部材１に前輪２、後輪３、押手部４及びベッド部５を備えてなり、上記フレーム部材に履帯６を循回遊動自在に配設すると共に該履帯の接地レベルを上記前輪及び後輪の接地レベルより稍浮上位置に配設してなる。【選択図】　　　　図１
2004097419.tif 000002
【特許請求の範囲】
【請求項１】
フレーム部材に前輪、後輪、押手部及びベッド部を備えてなり、上記フレーム部材に履帯を循回遊動自在に配設すると共に該履帯の接地レベルを上記前輪及び後輪の接地レベルより稍浮上位置に配設して構成したことを特徴とする患者搬送車。
【請求項２】
上記履帯は上記フレーム部材に架設された前遊転輪及び後遊転輪の間に遊動自在に掛回されていることを特徴とする請求項１記載の患者搬送車。
【請求項３】
上記フレーム部材に履帯の中間部分を支持可能な支持輪を配設してなることを特徴とする請求項１又は２記載の患者搬送車。
【発明の詳細な説明】
【０００１】
【発明の属する技術分野】
本発明は例えば患者、身体障害者、養護老人などの搬送に用いられ患者搬送車に関するものである。
【０００２】
【従来の技術】
この種の患者搬送車として、フレーム部材に前輪、後輪、押手部及びベッド部を備えてなる構造のものが知られている。
【０００３】
【発明が解決しようとする課題】
しかしながら上記従来構造の場合、例えば、左右の前輪及び左右の後輪の四輪によりフレーム部材の支持走行を行うことから、平地走行時においては、円滑な走行を行うことができるものの、階段走行時においては、階段の踏板のけ上げの存在により前輪及び後輪が次段の踏板へ移行することが困難であると共にフレーム部材が上下に大きく昇降することになり、このため、階段の上り下りが非常に厄介であるという不都合を有している。
【０００４】
【課題を解決するための手段】
本発明はこのような課題を解決することを目的とするもので、本発明のうちで、請求項１記載の発明は、フレーム部材に前輪、後輪、押手部及びベッド部を備えてなり、上記フレーム部材に履帯を循回遊動自在に配設すると共に該履帯の接地レベルを上記前輪及び後輪の接地レベルより稍浮上位置に配設して構成したことを特徴とする患者搬送車にある。
【０００５】
又、請求項２記載の発明は、上記履帯は上記フレーム部材に架設された前遊転輪及び後遊転輪の間に遊動自在に掛回されていることを特徴とするものであり、又、請求項３記載の発明は、上記フレーム部材に履帯の中間部分を支持可能な支持輪を配設してなることを特徴とするものである。
【発明の実施の形態】
【０００６】
図１乃至図７は本発明の実施の形態例を示し、図１乃至図５は第一形態例、図６、図７は第二形態例である。
【０００７】
図１乃至図５の第一形態例において、１はフレーム部材であって、金属により製作され、前輪２・２、後輪３・３、押手部４及びベッド部５を備えて構成されている。
【０００８】
６・６は履帯であって、この場合、ゴムベルト等の弾性材により製作され、履帯６・６の接地面Ｆに接触する接地レベルＭは上記前輪２・２及び後輪３・３の接地レベルＧより距離Ｈ分の稍浮上位置に配設され、フレーム部材１の左右に前遊転輪７・７及び後遊転輪８・８を遊転自在に軸架し、この左右の前遊転輪７・７及び後遊転輪８・８間にそれぞれ履帯６・６を循回遊動自在に掛回し、フレーム部材１に履帯６・６の下側中間部分を支持可能な支持輪９・９を遊転自在に取り付けて構成している。
【０００９】
この実施の第一形態例は上記構成であるから、平地走行時においては、図３の如く、例えば患者Ｎをベッド部５に載せて介護者Ｋが押手部４を握って押すことにより前輪２及び後輪３によりフレーム部材１を走行させることができ、このとき、履帯６・６の接地面Ｆに接触する接地レベルＭは上記前輪２・２及び後輪３・３の接地レベルＧより距離Ｈ分の稍浮上位置に配設されているので、履帯６・６は接地面Ｇに非接触であり、又、階段走行時においては、図４、図５の如く、階段Ｓの踏板Ｄのけ上げＬの存在により前輪２と後輪３の間の踏板Ｄの角部分に履帯６・６が接触し、フレーム部材１の上下の浮き沈みを少なくすることができ、かつ、フレーム部材１の押動により履帯６・６は循回遊動し、このため、階段走行を楽に行うことができる。
【００１０】又、この場合、上記履帯６・６は上記フレーム部材１に架設された前遊転輪７及び後遊転輪９の間に遊動自在に掛回されているから、履帯６の配設構造を簡素化することができ、又、この場合、上記フレーム部材１に履帯６の中間部分を支持可能な支持輪９を配設してなるから、履帯６に掛かる荷重を良好に受けることができる。
【００１１】
図６、図７の第二形態例は別例構造を示し、この場合、前遊転輪７・７及び後遊転輪８・８の間に一対の中間遊転輪１０・１０を配置し、前遊転輪７・７と一方の中間遊転輪１０及び他方の遊転輪１０と後遊転輪８との間にそれぞれ履帯６・６を循回遊動自在に掛回し、フレーム部材１に履帯６・６の下側中間部分を支持可能な支持輪９・９を遊転自在に取り付けて構成している。
【００１２】
尚、本発明は上記実施の形態例に限られるものではなく、フレーム部材を幅方向や長手方向に中央部で折畳可能な構造としたり、履帯６の配設構造等は適宜変更して設計される。
【００１３】
【発明の効果】
本発明は上述の如く、請求項１記載の発明にあっては、平地走行時においては、例えば患者をベッド部に載せて介護者が押手部を握って押すことにより前輪及び後輪によりフレーム部材を走行させることができ、このとき、履帯の接地面に接触する接地レベルは上記前輪及び後輪の接地レベルより稍浮上位置に配設されているので、履帯は接地面に非接触であり、又、階段走行時においては、階段の踏板のけ上げの存在により前輪と後輪の間の踏板の角部分に履帯が接触し、フレーム部材の上下の浮き沈みを少なくすることができ、かつ、フレーム部材の押動により履帯は循回遊動し、このため、階段走行を楽に行うことができる。
【００１４】
又、請求項２記載の発明にあっては、上記履帯は上記フレーム部材に架設された前遊転輪及び後遊転輪の間に遊動自在に掛回されているから、履帯の配設構造を簡素化することができ、又、請求項３記載の発明にあっては、上記フレーム部材に履帯の中間部分を支持可能な支持輪を配設してなるから、履帯に掛かる荷重を良好に受けることができる。
【００１５】
以上、所期の目的を充分達成することができる。
【図面の簡単な説明】
【図１】本発明の実施の形態例の全体側面図である。
【図２】本発明の実施の第一形態例の全体平面図である。
【図３】本発明の実施の第一形態例の平地走行時の全体側面図である。
【図４】本発明の実施の第一形態例の階段走行時の部分平断面図である。
【図５】本発明の実施の第一形態例の階段走行時の全体後面図である。
【図６】本発明の実施の第二形態例の全体側面図である。
【図７】本発明の実施の第二形態例の全体平面図である。
【符号の説明】
Ｍ　接地レベル
Ｇ　接地レベル
１　フレーム部材
２　前輪
３　後輪
４　押手部
５　ベッド
６　履帯
７　前遊転輪
８　後遊転輪
９　支持輪
１０　中間遊転輪
【図１】
2004097419.tif 000003
【図２】
2004097419.tif 000004
【図３】
2004097419.tif 000005
【図４】
2004097419.tif 000006
【図５】
2004097419.tif 000007
【図６】
2004097419.tif 000008
【図７】
2004097419.tif 000009